(57)【特許請求の範囲】
【請求項１】
遅延蛍光の強度と寿命とが、酸素の共存によって減衰せしめられる発光物質を、担体に固定化してなり、予め定めた所定の酸素濃度を有する基準流体における前記遅延蛍光の強度値または寿命値と、測定流体における前記遅延蛍光の強度値または寿命値の測定値との差、または比に基いて、流体中の酸素濃度を計測する酸素濃度計測素子において、
前記発光物質は、スズ-コプロポルフィリン テトラメチルエステル錯体（以下特定発光物質という。）とすることを特徴とする酸素濃度計測素子。
【請求項２】
請求項１記載の酸素濃度計測素子において、前記特定発光物質における錯体の配位子コプロポルフィリン テトラメチルエステルに代えて、プロトポルフィリン ジメチルエステル、オクタエチルポルフィリンの誘導体、ヘマトポルフィリンの誘導体の内のいずれかを配位子とすることを特徴とする酸素濃度計測素子。
【請求項３】
請求項１または２に記載の酸素濃度計測素子において、前記発光物質を固定化する担体は、ポリスチレン，ポリメチルメタアクリレート，ポリ塩化ビニルの内のいずれかの熱可塑性樹脂フィルム（以下、ＰＦという。）とすることを特徴とする酸素濃度計測素子。
【請求項４】
請求項３に記載の酸素濃度計測素子において、前記ＰＦ表面部に前記特定発光物質を含浸・固定化してなることを特徴とする酸素濃度計測素子。
【請求項５】
請求項４に記載の酸素濃度計測素子の製造方法であって、前記特定発光物質を、エタノール，酢酸エチル，ジメチルスルホキシド，メタノールの内のいずれかの有機溶媒に溶解し、この溶液を耐熱性プレート上に滴下し、このプレートを加熱して前記有機溶媒を気散させて前記特定発光物質を乾燥し、この上にＰＦおよび耐熱性プレートを順次載置し、上下２枚の前記耐熱性プレートにより特定発光物質とＰＦとを挟んだ状態で加熱加圧することにより、前記特定発光物質をＰＦ表面部に含浸・固定化することを特徴とする酸素濃度計測素子の製造方法。
【請求項６】
請求項５に記載の酸素濃度計測素子の製造方法において、前記耐熱性プレートは、ガラス板，セラミックス板，ステンレススティール板の内のいずれかとし、前記耐熱性プレート上に滴下する溶液の量は数〜数十μＬとし、前記加熱温度は１５０〜３００℃とすることを特徴とする酸素濃度計測素子の製造方法。
【発明の詳細な説明】
【０００１】
【発明の属する技術分野】
この発明は、気体中又は液体中の酸素濃度を計測する酸素濃度計測素子とその製造方法に関する。
【０００２】
【従来の技術】
気体中または液体中の酸素濃度の計測を必要とする分野としては、環境関連、各種工業、医療などの分野があり、具体的には次のような用途例がある。
・下水処理の微生物反応槽で溶存酸素濃度を多点計測し曝気を制御。
・食品製造における発酵プロセスの好気嫌気状態の監視制御。
・バイオレメディエーションを担う微生物の活動環境計測。
・魚介類の養殖や飼育における溶存酸素の監視制御。
・河川湖沼の溶存酸素分布多点計測による富栄養化のメカニズム把握。
・血中の酸素分圧モニタリングによる未熟児網膜症の防止。
【０００３】
従来の酸素濃度の計測技術としては、気体状酸素に対しては半導体方式が、液体中の酸素に対しては電極方式が知られている。しかしながら、これらの方式においては、以下のような問題があった。
・酸素を消費する。
・汚れの影響を受けやすく頻繁な校正や洗浄が必要。
・電極方式では電解液が必要なためにメンテナンスが煩雑。
・電極方式では電解液封入機構が必要であるため検出部の小型化が難しい。
【０００４】
これらの問題を解消する技術として、近年、光学式の酸素濃度計測方式が注目されている。その測定原理は、蛍光やりん光などのルミネッセンスが酸素の共存によって消光作用を受け、その際、ルミネッセンス強度の低下や、寿命の短縮が酸素濃度と相関していることに基づいている。この光学式の酸素濃度計測方法は他の方式に比較して、以下の特長を持っている。
・酸素を消費しない。
・外来の機械的、電気的および磁気的攪乱を受けない。
・検出部の微小化が可能。
・気体中、液体中どちらの計測にも適用できる。
・光ファイバとの複合による遠隔計測が可能。
・検出部の防爆化が可能。
【０００５】
これまで、光学式の酸素計測方法として、主に、蛍光強度の変化に基づく方法、りん光の強度および寿命の変化に基づく方法が報告されている。
【０００６】
例えば、特公平６−４３９６３号公報に開示された環境中の酸素の存在を判定するための装置は、ルミネッセンスの強度と寿命とが酸素によって消光する発光物質を用い、その発光物質を酸素に対しては比較的透過性を有し妨害消光剤に対しては比較的不透過性を有するキャリヤ物質中に含有するものである。
【０００７】
また、前記装置における発光物質としては、α-ジイミン配位子を有する、銅、ルテニウム、レニウム、オスミウム、イリジウム、ロジウム、白金、パラジウム、亜鉛およびクローム錯体から成るグループから選ばれたもの、さらに、前記キャリヤ物質としては、ポリ塩化ビニル、シリコーン重合体、ラテックスゴム、ポリカーボネイト、フッ素化重合体、ポリスチレン、プロピレン、および陽イオン・陰イオン交換樹脂から成るグループから選ばれた重合体を開示している。
【０００８】
しかしながら、上記のような光学式酸素計測方法においても、下記のような問題がある。即ち、ルミネッセンス光量の変化から酸素濃度を求める場合、計測すべきルミネッセンスの光量が外来光や光源の光量変動、検出部への汚れ付着などによって影響を受け、これにより計測精度が低下したり、頻繁な校正や洗浄が必要となる問題である。
【０００９】
この問題を回避する方法として、りん光によりルミネッセンスの比較的長い寿命を測定し、その寿命が酸素濃度に応じて変化することを利用する方法がある。寿命測定に基づく酸素計測は、強度に基づく測定よりも安定したシグナルを与える。その理由は、発光寿命は理論的に発光強度と独立であって、光源の光量変動や汚れの付着が計測に影響しないことや、発光寿命が長いことに起因して、保持担体など周辺物質に由来するバックグラウンドノイズ光の影響を軽減できることに因る。
【００１０】
ところが、ルミネッセンスの寿命が長いりん光では、量子収率が低いためにルミネッセンス光量が小さく、寿命計測のためには高感度の光電変換素子を有する専用装置が必要となる。一方、蛍光では、ルミネッセンス光量は大きいものの、寿命が通常ナノ秒のオーダーと短く、通常の演算回路では信号処理速度が追従できないため、やはり寿命の計測は困難となる。
【００１１】
上記問題点に鑑みた研究が種々なされ、これまでに、いくつかの研究報告がなされている。例えば、酸素計測に適した有機化合物の選択や、その保持担体であるポリマーの組成検討を行った報告（Amano 等,Anal. Chim.Acta, 421(2000) 167-174.，Reactive and Functional Polymers, 47(2001)49-54.参照）がある。また、白金やパラジウム、亜鉛とポルフィリンとの錯体を、ポリ塩化ビニル、ポリスチレン等のポリマーやゾル−ゲルガラス等に担持させ、そのりん光に基づいて酸素を計測した報告（Lee 等,Analyst, 122(1997)81-84.参照）や、ポリスチレン中に固定化したZn(II)-tertakis (pentafluoro-phenyl) porphyrin錯体のりん光寿命が、酸素濃度0-100%の範囲で180μs から3.8μs の間(ΔT=176.2μs )で変化したという報告（Furuto等,Journal of Photobiology A: Chemistry,132 (2000) 81-86.参照）等がある。
【００１２】
しかしながら、これまでのところ、前述の問題が解決されるには至っていない。
【００１３】
【発明が解決しようとする課題】
この発明は、上記の点に鑑みてなされたもので、この発明の課題は、外来光や光源の光量変動や汚れの影響などを受け難く、かつ高感度な光電変換素子や高速の演算回路が不要な酸素濃度計測素子とその製造方法を提供することにある。
【００１４】
【課題を解決するための手段】
前述の課題を解決するために、この発明は、遅延蛍光の強度と寿命とが、酸素の共存によって減衰せしめられる発光物質を、担体に固定化してなり、予め定めた所定の酸素濃度を有する基準流体における前記遅延蛍光の強度値または寿命値と、測定流体における前記遅延蛍光の強度値または寿命値の測定値との差、または比に基いて、流体中の酸素濃度を計測する酸素濃度計測素子において、
前記発光物質は、スズ-コプロポルフィリン テトラメチルエステル錯体（以下特定発光物質という。）とする（請求項１の発明）。
【００１５】
上記請求項１の発明において、前記特定発光物質は、後述するように、通常のルミネッセンス物質に比較して、光量が大きく寿命が極めて長い遅延蛍光を発する物質であるため、前記外来光や光源の光量変動や汚れの影響などを受け難く、従って、高感度な光電変換素子や高速の演算回路を特別に用いることなしに、精度がよくかつ安価な酸素濃度計測素子を提供できる。
【００１６】
なお、前記基準流体は、通常酸素濃度０％（体積濃度）の流体、例えば、気体の場合には窒素ガス１００％とするが、１００％やその他の％の酸素濃度を有する流体を基準流体とすることもできる。
【００１７】
また、前記特定発光物質としては、下記請求項２の発明のように、同様な遅延蛍光を発する他の物質を用いることもできる。即ち、請求項１記載の酸素濃度計測素子において、前記特定発光物質における錯体の配位子コプロポルフィリン テトラメチルエステルに代えて、プロトポルフィリン ジメチルエステル、オクタエチルポルフィリンの誘導体、ヘマトポルフィリンの誘導体の内のいずれかを配位子とする。
【００１８】
さらに、前記発光物質を固定化する担体としては、下記請求項３の発明が好適である。即ち、前記請求項１または２に記載の酸素濃度計測素子において、前記発光物質を固定化する担体は、ポリスチレン，ポリメチルメタアクリレート，ポリ塩化ビニルの内のいずれかの熱可塑性樹脂フィルム（以下、ＰＦという。）とする。これにより、精度の高い計測が可能となり、また、センサとしての耐久性も向上する。
【００１９】
さらにまた、前記請求項３に記載の酸素濃度計測素子において、前記ＰＦ表面部に前記特定発光物質を含浸・固定化してなるものとする（請求項４の発明）。これにより、後述するように、酸素応答性が良好となる。
【００２０】
次に、上記酸素濃度計測素子の製造方法としては、下記請求項５ないし６の発明が好ましい。即ち、前記請求項４に記載の酸素濃度計測素子の製造方法であって、前記特定発光物質を、エタノール，酢酸エチル，ジメチルスルホキシド，メタノールの内のいずれかの有機溶媒に溶解し、この溶液を耐熱性プレート上に滴下した後、このプレートを加熱して前記有機溶媒を気散させて前記特定発光物質を乾燥し、この上にＰＦおよび耐熱性プレートを順次載置し、上下２枚の前記耐熱性プレートにより特定発光物質とＰＦとを挟んだ状態で加熱加圧することにより、前記特定発光物質をＰＦ表面部に含浸・固定化することとする（請求項５の発明）。
【００２１】
また、前記発明の実施態様として下記請求項６の発明が好ましい。即ち、請求項５に記載の酸素濃度計測素子の製造方法において、前記耐熱性プレートは、ガラス板，セラミックス板，ステンレススティール板の内のいずれかとし、前記耐熱性プレート上に滴下する溶液の量は数〜数十μＬとし、前記加熱温度は１５０〜３００℃とする。前記溶液の量は数十μＬ程度、前記加熱温度は２５０℃程度が最も好ましい。
【００２２】
【発明の実施の形態】
図１ないし図６に基づき、この発明の実施例について以下にのべる。
【００２３】
（酸素濃度計測素子の作製例とその遅延蛍光スペクトルの測定結果）
図１は、前記特定発光物質の１つであるスズ-コプロポルフィリン テトラメチルエステル錯体（以下、Sn-cpmeという。）の化学構造図を示す。以下に、このSn-cpmeを特定発光物質として用い、ポリスチレンを固定化するための担体として用いた酸素濃度計測素子の作製例とその遅延蛍光スペクトルの測定結果について述べる。
【００２４】
まず、図１に示すSn-cpmeの合成方法について述べる。Sn-cpmeは、例えば、コプロポルフィリンIII テトラメチルエステルと、塩化スズ（II）・二水和物（SnCl2・2H2O）とをジメチルスルホキシド（DMSO）に溶解した後、100〜200℃、好ましくは150℃程度に加熱することによって得る。過剰なSnCl2・2H2Oは、HCl(0.1M)-酢酸エチルで溶媒抽出により除去する。
【００２５】
なお、本実施例では、錯体の配位子としてコプロポルフィリンIII テトラメチルエステルを用いたが、コプロポルフィリンIなど他のコプロポルフィリンでもよいし、また、他の系として、プロトポルフィリン ジメチルエステル、オクタエチルポルフィリンの誘導体、ヘマトポルフィリンの誘導体を錯体の配位子として用いることもできる。
【００２６】
次に、図２に基き、前記Sn-cpmeをポリスチレン（以下、PSという。）に固定化した膜（以下、Sn-cpme-PSという。）の作製方法について説明する。図２（ａ）はSn-cpme-PSフィルムの作製工程を示し、図２（ｂ）はSn-cpme-PSフィルムの発光状態を説明する模式図である。
【００２７】
図２（ａ）において、使用するPSとしては、例えば、平均重合度3000程度のものが好適である。まず、PSビーズ（PS bead）１をガラス板２で加熱圧延し、PSフィルム３を作製する。続いて、図２（ａ）の右側の図に示すように、Sn-cpmeエタノール溶液を、ガラス板（Hot plate）表面５に10μL滴下する。Sn-cpmeエタノール溶液は、ガラス板を150〜300℃、好ましくは250℃程度に加熱することにより素早く乾燥させる。その後、乾燥したSn-cpme４の上方から、前記PSフィルム３を載置し、ガラス板５で加熱加圧し、Sn-cpme ４をPS表面部に含浸、固定化し、Sn-cpme-PSフィルム６を得た。得られた膜の厚さは約数十μｍであった。
【００２８】
なお、固定化の担体としては、ポリスチレンの他、ポリメチルメタアクリレート，ポリ塩化ビニルや、ろ紙を用いることも可能である。ろ紙の場合、Sn-cpme溶液はろ紙上に数〜数10μL、好ましくは10μL程度滴下する。このろ紙を真空乾燥器によって真空中70℃で6時間以上乾燥させ、デシケーター中で１時間放冷して素子を作製する。
【００２９】
次に、図２（ｂ）の模式図に基き、酸素共存下での発光状態について説明する。図２（ｂ）に示すように、Sn-cpmeは、励起光（Ｅｘ）７によって発光し、遅延蛍光（Ｅｍ）８を発する。発光された光の強度および寿命は、消光剤として作用する酸素（Ｏ2）によって減衰する。遅延蛍光（Ｅｍ）８を、例えば、図示しないフォトダイオードや光電子増倍管などの受光素子により測定することにより、後述するように、酸素濃度の測定が可能となる。
【００３０】
続いて、図３に基き、Sn-cpme-PSのルミネッセンス特性（遅延蛍光スペクトル）の測定結果の一例について述べる。図３の縦軸は遅延蛍光の強度（intensity）を示し、横軸は光の波長（ｎｍ）を示す。図中、（１）は窒素100％時、（２）は大気中（酸素濃度約21％）、（３）は酸素100％時における測定結果を示す。なお、遅延蛍光やりん光のスペクトル測定は、150W Xenonランプを励起光源として日立製作所製F4500型蛍光光度計によって行った。
【００３１】
図３によれば、Sn-cpme-PSはソーレー帯と呼ばれる395ｎｍの光で励起すると、575ｎｍに強い遅延蛍光を示す。また、遅延蛍光スペクトルは、蛍光スペクトルと同波長で発光が観られる。同時に、705ｎｍにりん光スペクトルが観測される（図中Ｐと表記）。
【００３２】
図中（１）の窒素100％時において、遅延蛍光(IDF)とりん光(IP)の強度比(IDF/IP)は17.3であった。この特性は、非常に希少であり、Sn-cpmeは、りん光よりも遅延蛍光の方が強度の高い特異な物質である。ろ紙を担体とした場合にも、同様な形状のルミネッセンス特性が得られ、ろ紙を担体としたときのIDF/IP比は32.1であった。
【００３３】
現在まで遅延蛍光に基づいた酸素計測の研究例は少ない。その理由は、室温で多くの物質の遅延蛍光は量子効率が低く、発光強度が弱いためである。例えば、ゾル−ゲル中に固定化されたザンテン系色素のエリスロシンでは遅延蛍光とりん光がともに認められ、これらの発光は酸素によって消光される。しかし、その遅延蛍光は同時に観測されるりん光に比べて非常に微弱である。
【００３４】
ところで、一般的にルミネッセンスの消光を測定し、その結果から酸素濃度を求める場合には、ルミネッセンスの強度値あるいは寿命値について基準状態（多くの場合酸素0％の試料中にある時の状態）との比を求め、これに基づいて酸素濃度を算出することが多い。本発明の酸素濃度計測素子を用いた酸素計測方法においても、従来同様、測定値の比から酸素濃度を求めることが可能であるが、前記Sn-cpmeの場合、前述のような特異な性質を有する、即ち、ルミネッセンス光（遅延蛍光）が強く、しかもその寿命が長いため、強度差ΔI（=I0-I100）あるいは寿命差ΔT（=T0-T100）を用いることにより、酸素濃度を求める方法も有効である。後述する図５、図６は、酸素濃度に対する遅延蛍光の寿命差、強度差をグラフ化したものである。
【００３５】
（遅延蛍光寿命による酸素濃度の計測）
図４および図５に基き、遅延蛍光寿命による酸素濃度の計測方法に関わる実施例について、以下に述べる。
【００３６】
実験操作としては、前記実施例による酸素濃度計測素子に、酸素濃度を0〜100％の間で濃度を調節した混合気体を連続的に送り、酸素濃度変化による遅延蛍光スペクトル特性の変化を測定した。実験は室温(25℃)において行なった。
【００３７】
Sn-cpmeの遅延蛍光は数10ミリ秒を超える長い寿命を持っており、これは通常のルミネッセンス物質に比べて、約10〜100倍以上の長さである。図４は、前記Sn-cpme-PSの遅延蛍光の減衰を表した図である。図中、（１）は窒素100％時、（２）は大気中（酸素濃度約21％）、（３）は酸素100％時における測定結果である。図４から明らかなように、Sn-cpme-PSの遅延蛍光寿命は、酸素濃度増加に伴って短くなる。
【００３８】
図５は、酸素濃度に対するSn-cpme-PSの遅延蛍光の寿命差ΔT（=T0-T100）を表した図である。プロットが実測値であり、実線は計算によって導いた検量線である。計測の再現性を評価するため、窒素置換中の相対標準偏差を標本数５で算出した。その結果、遅延蛍光強度測定時で3.55 ％、寿命測定時で2.95 ％となり、本発明の方法が酸素計測において良好な再現性を示すことが確認された。
【００３９】
一方、従来から酸素センサの考察に用いられるStern-Volmer plot（I0/I=1+KSV[O2]; I0,Iはそれぞれ酸素濃度0％と，酸素が存在する状態での遅延蛍光の最大強度，KSVはStern-Volmer の消光定数である。）を、Sn-cpme-PSについて行ったところ、I0/I100 比は、13.8であった（この値は、図３のI0/I100 比からも概ね推算できる）。良い直線性が得られた酸素濃度範囲(20〜90％)でのKSVは、0.168％-1であった。
【００４０】
同様に，遅延蛍光寿命比によるStern-Volmer plot（T0/T=1+KSV[O2]; T0,Tはそれぞれ酸素0％と，酸素が存在する状態での遅延蛍光寿命である）は、良い比例関係を示し、T0/T100 比は、2.46であった（この値は、遅延蛍光寿命を所定の遅延蛍光強度まで低下する時間として、図４のT0/T100 比からも概ね推算できる）。良い直線性が得られた酸素濃度範囲（10〜90％）でのKSVは、0.013％-1であった。
【００４１】
Sn-cpme-PS filmの酸素応答速度時間は、窒素から酸素置換において109 sec、酸素から窒素置換において170 sec以内であった。酸素応答速度は、ポリマーの酸素透過性と膜厚により主に影響を受ける。本実施例による加熱圧延法によれば、Sn-cpmeをPS表面付近に集中して固定化できる。このため、酸素応答性は良好となる。また、寿命変化の酸素応答速度は強度変化と相関があり、ほぼ同程度である。
【００４２】
さらに、Sn-cpmeの遅延蛍光寿命は、温度上昇に比例してわずかに増加する。通常、りん光は温度上昇に伴ない発光強度が減少する。しかし本実施例による計測素子は、遅延蛍光の特性によって、特に常温付近（15-35℃）ではその特性変動が小さく、温度に左右されずに酸素計測ができるという点で、非常に実用的である。
【００４３】
また、遅延蛍光強度は、励起光の連続照射において、１２時間ほぼ一定値を保っていた。その間、遅延蛍光強度の変動は初期値の５％以内であり、計測素子としての耐久性も良好である。
【００４４】
さらに、遅延蛍光寿命を用いる酸素濃度計測は、ΔT値がΔI値より小さいが、理論的に計測が光量の絶対値に依存しないため、様々な環境における連続的なモニタリングに対し、少ない校正頻度で精度良く酸素測定が可能と考えられる。この特長は、水中の溶存酸素や血中の酸素分圧を測定する用途に適している。
【００４５】
なお、前記実施例の測定結果は気体状の酸素濃度を測定したものであるが、液体中に溶存する酸素濃度の計測は水環境や医療、食品などの分野で必要性の高い技術である。液体中に溶存する酸素濃度を計測する場合には、Sn-cpmeのような消光を受ける物質が直接溶液に接していると、有機無機の様々な溶質が消光に影響してしまい、酸素を選択的に計測することが難しい。この問題を解決するには、Sn-cpme-PSを酸素透過膜と組み合わせる必要がある。
【００４６】
例えば、水中の溶存酸素を計測する場合には、酸素透過膜として、テフロン（登録商標）やシリコーン製の膜を用いることが好適である。また、血中の酸素分圧を計測するには、血栓の発生を防止できる材料との複合が必要であるが、この場合には、セグメント化ポリウレタンや2-メタクリロイロキシエチル・フォスフォリルコリン、Nafion（デュポン社の商品名）などが好ましい。
【００４７】
（遅延蛍光強度による酸素濃度の計測）
図３および図６に基き、遅延蛍光強度による酸素濃度の計測方法に関わる実施例について、以下に述べる。
【００４８】
実験操作としては、前記と同様に、酸素計測素子に酸素濃度を0〜100 %の間で濃度を調節した混合気体を連続的に送り、酸素濃度変化による遅延蛍光スペクトル特性変化を測定した。実験は室温(25°C)において行なった。
【００４９】
図３に示したように、Sn-cpme-PSの遅延蛍光強度は、酸素濃度増加に伴って低下する。
【００５０】
図６は、酸素濃度に対するSn-cpme-PSの遅延蛍光強度差ΔI（=I0-I100）を表した図である。図５と同様に、プロットが実測値であり、実線は計算によって導いた検量線である。酸素0％（窒素100％）で1800あった遅延蛍光強度が、酸素濃度80％付近でほぼ0まで低下している。このように、Sn-cpmeの遅延蛍光強度を用いる酸素計測は、ΔI値が大きいため感度が良い。このため、特に、低濃度領域の酸素を測定する場合に有効である。しかし、ルミネッセンス強度に基づく酸素計測は、外来光や汚れの影響を比較的受けやすいため、そうした影響の少ない清浄な環境、例えば食品保管庫や医療現場の空気中の酸素測定、宇宙空間などでの使用に適している。
【００５１】
【発明の効果】
上記のとおり、この発明によれば、遅延蛍光の強度と寿命とが、酸素の共存によって減衰せしめられる発光物質を、担体に固定化してなり、予め定めた所定の酸素濃度を有する基準流体における前記遅延蛍光の強度値または寿命値と、測定流体における前記遅延蛍光の強度値または寿命値の測定値との差、または比に基いて、流体中の酸素濃度を計測する酸素濃度計測素子において、
前記発光物質は、スズ-コプロポルフィリン テトラメチルエステル錯体もしくは同様の遅延蛍光特性を有する特定発光物質を用い、例えば、ポリスチレンフィルムの表面部に前記特定発光物質を含浸・固定化してなるものとしたので、
気体中および液体中の酸素を計測できる微小な酸素濃度計測素子を提供することができる。この酸素濃度計測素子は、酸素を消費せず、外来の機械的、電気的および磁気的攪乱を受けない。また、光ファイバとの複合も可能であり、遠隔計測が容易に実現できる。さらに、検出部の防爆化が可能であることから、引火性ガスが存在する環境下の使用に適した計測素子となる。
【００５２】
また、前記特定発光物質の遅延蛍光は強度が高いため、特殊な光電変換素子を必要としない。さらに、寿命が数10ミリ秒以上と長いため、寿命計測のための信号処理回路に求められる演算速度は１kHz程度であり、安価かつ容易に実現することができる。
【００５３】
また、この発明の前述の酸素濃度計測素子の製造方法によれば、固定化材料としてのポリスチレン，ポリメチルメタアクリレート，ポリ塩化ビニル等のポリマーの溶解に、有機溶媒を必要としないため、ポリマー内部に有機溶媒が残留する心配がなく、操作は簡便であり、簡易かつ迅速に試薬をポリマーに固定化できる。しかも、試薬を単体であるポリマー表面付近のみに集中的に固定化することができるため、計測素子の感度向上を図ることができる。また、この方法で用いる有機溶媒や樹脂は、入手が容易な一般的なものばかりであり、毒性が問題になる恐れもない。
【００５４】
さらに、この酸素濃度計測素子としてのフィルムは測定前に乾燥の必要がない。また、計測素子フィルムの厚さは加熱加圧するポリマーの量と、その際の圧力によって容易に制御できる。総じて、この固定化方法は、生産性が良く製造コストを低減できる。
【図面の簡単な説明】
【図１】この発明の特定発光物質の一例としてのスズ-コプロポルフィリン テトラメチルエステル錯体の化学構造図
【図２】この発明の特定発光物質固定化膜の作製方法および発光状態を説明する図
【図３】この発明のSn-cpme-PSの遅延蛍光スペクトルの測定結果の一例を示す図
【図４】この発明のSn-cpme-PSの遅延蛍光の減衰を示した図
【図５】酸素濃度に対するSn-cpme-PSの遅延蛍光の寿命差を示した図
【図６】酸素濃度に対するSn-cpme-PSの遅延蛍光強度差を示した図
【符号の説明】
１：PSビーズ（PS bead）、２，５：ガラス板、３：PSフィルム、４：Sn-cpme、６：Sn-cpme-PSフィルム，７：励起光（Ｅｘ）、８：遅延蛍光（Ｅｍ）。
【図１】
0003835600.tif 000002
【図２】
0003835600.tif 000003
【図３】
0003835600.tif 000004
【図４】
0003835600.tif 000005
【図５】
0003835600.tif 000006
【図６】
0003835600.tif 000007